(57)【特許請求の範囲】
【請求項１】
ディスク上にトラックを形成するためのグルーブがスパイラル状に形成されており、
上記グルーブのウォブリングによってアドレス情報が記録されると共に、当該グルーブによって形成されるトラックが記録マークの記録再生に用いられる記録再生領域と、
上記グルーブのウォブリングによってプリレコーデッド情報が記録される再生専用領域と、
を有し、
上記記録再生領域に記録マークで記録されるデータは、先頭に配置されたフレーム同期信号と、ロングディスタンスコードでエラー訂正符号化された３８バイトごとに区切られているユーザデータと、該３８バイトごとに区切られたユーザデータごとに挿入されるバーストエラー検出コードとからなる所定数の単位から構成され、
上記記録再生領域に記録マークで記録されるデータの単位は、４つの上記ユーザデータの間に３つのバーストエラー検出コードが挿入されて構成され、
上記記録再生領域に記録マークで記録されるデータの前記所定数の単位に相当する区間における上記グルーブのウォブリングによるアドレス情報は、シンクパートとデータパートから成る複数のアドレスブロックから成り、上記データパートは、１５個のＡＤＩＰブロックで構成され、上記ＡＤＩＰブロックは４ビットのＡＤＩＰデータを有する
ディスク記録媒体。
【請求項２】
ディスク上にトラックを形成するためのグルーブがスパイラル状に形成されており、上記グルーブのウォブリングによってアドレス情報が記録されると共に、当該グルーブによって形成されるトラックが記録マークの記録再生に用いられる記録再生領域と、上記グルーブのウォブリングによってプリレコーデッド情報が記録される再生専用領域と、を有し、上記記録再生領域に記録マークで記録されるデータは、先頭に配置されたフレーム同期信号と、ロングディスタンスコードでエラー訂正符号化された３８バイトごとに区切られているユーザデータと、該３８バイトごとに区切られたユーザデータごとに挿入されるバーストエラー検出コードとからなる所定数の単位から構成され、上記記録再生領域に記録マークで記録されるデータの単位は、４つの上記ユーザデータの間に３つのバーストエラー検出コードが挿入されて構成され、上記記録再生領域に記録マークで記録されるデータの前記所定数の単位に相当する区間における上記グルーブのウォブリングによるアドレス情報は、シンクパートとデータパートから成る複数のアドレスブロックから成り、上記データパートは、１５個のＡＤＩＰブロックで構成され、上記ＡＤＩＰブロックは４ビットのＡＤＩＰデータを有するディスク記録媒体に対して、データの記録又は再生を行うディスクドライブ装置であって、
上記トラックに対してレーザ照射を行い反射光信号を得るヘッド手段と、
上記反射光信号からトラックのウォブリングに係る信号を抽出するウォブリング抽出手段と、
上記反射光信号から記録マーク情報に係る信号を抽出する記録マーク抽出手段と、
上記記録再生領域の再生時において、上記ウォブリング抽出手段によって抽出された上記ウォブリングに係る信号についてＭＳＫ復調を行い、上記アドレス情報をデコードするアドレスデコード手段と、
上記記録再生領域の再生時において、上記記録マーク抽出手段によって抽出された上記記録マークに係る信号についてデコード処理を行い、記録マークとして記録された情報を得る相変化マークデコード手段と、
上記再生専用領域の再生時において、上記ウォブリング抽出手段によって抽出された上記ウォブリングに係る信号についてデコードを行い、上記プリレコーデッド情報を得るプリレコーデッド情報デコード手段と、
を備えたディスクドライブ装置。
【請求項３】
ディスク上にトラックを形成するためのグルーブがスパイラル状に形成されており、上記グルーブのウォブリングによってアドレス情報が記録されると共に、当該グルーブによって形成されるトラックが記録マークの記録再生に用いられる記録再生領域と、上記グルーブのウォブリングによってプリレコーデッド情報が記録される再生専用領域と、を有し、上記記録再生領域に記録マークで記録されるデータは、先頭に配置されたフレーム同期信号と、ロングディスタンスコードでエラー訂正符号化された３８バイトごとに区切られているユーザデータと、該３８バイトごとに区切られたユーザデータごとに挿入されるバーストエラー検出コードとからなる所定数の単位から構成され、上記記録再生領域に記録マークで記録されるデータの単位は、４つの上記ユーザデータの間に３つのバーストエラー検出コードが挿入されて構成され、上記記録再生領域に記録マークで記録されるデータの前記所定数の単位に相当する区間における上記グルーブのウォブリングによるアドレス情報は、シンクパートとデータパートから成る複数のアドレスブロックから成り、上記データパートは、１５個のＡＤＩＰブロックで構成され、上記ＡＤＩＰブロックは４ビットのＡＤＩＰデータを有するディスク記録媒体に対する再生方法として、
上記記録再生領域の再生時には、
トラックに対してレーザ照射を行った際の反射光信号から、トラックのウォブリングに係る信号、及び記録マークに係る信号を抽出し、抽出された上記ウォブリングに係る信号についてＭＳＫ復調を行って上記アドレス情報をデコードするとともに、抽出された上記記録マークに係る信号についてデコード処理を行って記録マークとして記録された情報を得、
上記再生専用領域の再生時には、
トラックに対してレーザ照射を行った際の反射光信号から、トラックのウォブリングに係る信号を抽出し、抽出された上記ウォブリングに係る信号についてデコードを行い、上記プリレコーデッド情報を得る
再生方法。
【発明の詳細な説明】
【技術分野】
【０００１】
本発明は、光ディスク等のディスク記録媒体、およびディスク記録媒体に対するディスクドライブ装置、再生方法に関し、特に、プリグルーブとしてトラックがウォブリングされたディスクに関するものである。
【背景技術】
【０００２】
デジタルデータを記録・再生するための技術として、例えば、ＣＤ（Compact Disk），ＭＤ（Mini-Disk），ＤＶＤ（Digital Versatile Disk）などの、光ディスク（光磁気ディスクを含む）を記録メディアに用いたデータ記録技術がある。光ディスクとは、金属薄板をプラスチックで保護した円盤に、レーザ光を照射し、その反射光の変化で信号を読み取る記録メディアの総称である。
光ディスクには、例えばＣＤ、ＣＤ−ＲＯＭ、ＤＶＤ−ＲＯＭなどとして知られているように再生専用タイプのものと、ＭＤ、ＣＤ−Ｒ、ＣＤ−ＲＷ、ＤＶＤ−Ｒ、ＤＶＤ−ＲＷ、ＤＶＤ＋ＲＷ、ＤＶＤ−ＲＡＭなどで知られているようにユーザーデータが記録可能なタイプがある。記録可能タイプのものは、光磁気記録方式、相変化記録方式、色素膜変化記録方式などが利用されることで、データが記録可能とされる。色素膜変化記録方式はライトワンス記録方式とも呼ばれ、一度だけデータ記録が可能で書換不能であるため、データ保存用途などに好適とされる。一方、光磁気記録方式や相変化記録方式は、データの書換が可能であり音楽、映像、ゲーム、アプリケーションプログラム等の各種コンテンツデータの記録を始めとして各種用途に利用される。
【０００３】
光磁気記録方式、色素膜変化記録方式、相変化記録方式などの記録可能なディスクに対してデータを記録するには、データトラックに対するトラッキングを行うための案内手段が必要になり、このために、プリグルーブとして予め溝（グルーブ）を形成し、そのグルーブもしくはランド（グルーブとグルーブに挟まれる断面台地状の部位）をデータトラックとすることが行われている。
またデータトラック上の所定の位置にデータを記録することができるようにアドレス情報を記録する必要もあるが、このアドレス情報は、グルーブをウォブリング（蛇行）させることで記録される場合がある。
【０００４】
すなわち、データを記録するトラックが例えばプリグループとして予め形成されるが、このプリグループの側壁をアドレス情報に対応してウォブリングさせる。
このようにすると、記録時や再生時に、反射光情報として得られるウォブリング情報からアドレスを読み取ることができ、例えばアドレスを示すピットデータ等を予めトラック上に形成しておかなくても、所望の位置にデータを記録再生することができる。
このようにウォブリンググルーブとしてアドレス情報を付加することで、例えばトラック上に離散的にアドレスエリアを設けて例えばピットデータとしてアドレスを記録することが不要となり、そのアドレスエリアが不要となる分、実データの記録容量を増大させることができる。
なお、このようなウォブリングされたグルーブにより表現される絶対時間（アドレス）情報は、ＡＴＩＰ（Absolute Time In Pregroove）又はＡＤＩＰ（Adress In Pregroove）と呼ばれる。
【発明の概要】
【発明が解決しようとする課題】
【０００５】
ところで近年、アドレス情報やユーザーが記録再生する情報以外に、アドレス情報と同様、あらかじめ、ディスク上に、各種の情報を記録することが必要になってきた。
即ち予めディスクに記録されるプリレコーデッド情報として、ディスクへの記録条件、例えば記録線速度やレーザパワー推奨値などを示すディスク情報や、ハックされた機器を排除するためなどのコピープロテクト情報を記録したい。とりわけコピープロテクト用の情報は重要とされている。
【０００６】
各種情報をディスクにプリレコードする方法としては、エンボスピットをディスク上に形成することが知られている。
ところが光ディスクに高密度に記録再生することを考えると、エンボスピットによるプリレコード方法は不都合が生ずる。
【０００７】
光ディスクに高密度に記録再生する場合、グルーブの深さを浅くすることが必要とされている。そしてスタンパによってグルーブとエンボスピットを同時に生産するディスクにおいては、グルーブとエンボスピットの深さを異なる深さとすることは非常に困難である。このため、エンボスピットの深さはグルーブの深さと同じにならざるを得ない。
ところが、エンボスピットの深さが浅くなると、エンボスピットから品質のよい信号が得られないという問題がある。
【０００８】
例えば、光学系として４０５ｎｍの波長のレーザダイオードと、ＮＡ＝０．８５の対物レンズを用い、カバー（サブストレート）厚み0.1mmのディスク上に、トラックピッチ０．３２μｍ、線密度０．１２μｍ／ｂｉｔにて、フェーズチェンジマーク（相変化マーク）を記録再生することで、直径１２cmの光ディスクに２３ＧＢ（ギガバイト）の容量を記録再生することができる。
この場合、フェーズチェンジマークは、ディスク上にスパイラル状に形成されたグルーブ上に記録再生されるが、高密度化のためにメディアノイズをおさえるためには、グルーブの深さは、約２０ｎｍ、つまり波長λに対してλ／１３〜λ／１２がのぞましい。
一方、品質のよいエンボスピットからの信号を得るには、エンボスピットの深さは、λ／８〜λ／４がのぞましく、結局グルーブ及びエンボスピットとしての共通の深さとして、いい解が得られないでいた。
このような事情から、エンボスピットにかわる、情報をプリレコードする方法が求められていた。
【課題を解決するための手段】
【０００９】
本発明はこれらの事情に鑑みて、ディスク記録媒体としての大容量化や記録再生性能の向上に好適なプリレコード方式を用いる新規な光記録媒体、及びディスクドライブ装置。再生方法を提供することを目的とする。
【００１０】
このために本発明のディスク記録媒体は、ディスク上にトラックを形成するためのグルーブがスパイラル状に形成されており、上記グルーブのウォブリングによってアドレス情報が記録されると共に、当該グルーブによって形成されるトラックが記録マークの記録再生に用いられる記録再生領域と、上記グルーブのウォブリングによってプリレコーデッド情報が記録される再生専用領域とを有し、上記記録再生領域に記録マークで記録されるデータは、先頭に配置されたフレーム同期信号と、ロングディスタンスコードでエラー訂正符号化された３８バイトごとに区切られているユーザデータと、該３８バイトごとに区切られたユーザデータごとに挿入されるバーストエラー検出コードとからなる所定数の単位から構成され、上記記録再生領域に記録マークで記録されるデータの単位は、４つの上記ユーザデータの間に３つのバーストエラー検出コードが挿入されて構成され、上記記録再生領域に記録マークで記録されるデータの前記所定数の単位に相当する区間における上記グルーブのウォブリングによるアドレス情報は、シンクパートとデータパートから成る複数のアドレスブロックから成り、上記データパートは、１５個のＡＤＩＰブロックで構成され、上記ＡＤＩＰブロックは４ビットのＡＤＩＰデータを有する。
【００１１】
本発明のディスクドライブ装置は、ディスク上にトラックを形成するためのグルーブがスパイラル状に形成されており、上記グルーブのウォブリングによってアドレス情報が記録されると共に、当該グルーブによって形成されるトラックが記録マークの記録再生に用いられる記録再生領域と、上記グルーブのウォブリングによってプリレコーデッド情報が記録される再生専用領域と、を有し、上記記録再生領域に記録マークで記録されるデータは、先頭に配置されたフレーム同期信号と、ロングディスタンスコードでエラー訂正符号化された３８バイトごとに区切られているユーザデータと、該３８バイトごとに区切られたユーザデータごとに挿入されるバーストエラー検出コードとからなる所定数の単位から構成され、上記記録再生領域に記録マークで記録されるデータの単位は、４つの上記ユーザデータの間に３つのバーストエラー検出コードが挿入されて構成され、上記記録再生領域に記録マークで記録されるデータの前記所定数の単位に相当する区間における上記グルーブのウォブリングによるアドレス情報は、シンクパートとデータパートから成る複数のアドレスブロックから成り、上記データパートは、１５個のＡＤＩＰブロックで構成され、上記ＡＤＩＰブロックは４ビットのＡＤＩＰデータを有するディスク記録媒体に対して、データの記録又は再生を行うディスクドライブ装置であって、上記トラックに対してレーザ照射を行い反射光信号を得るヘッド手段と、上記反射光信号からトラックのウォブリングに係る信号を抽出するウォブリング抽出手段と、上記反射光信号から記録マーク情報に係る信号を抽出する記録マーク抽出手段と、上記記録再生領域の再生時において、上記ウォブリング抽出手段によって抽出された上記ウォブリングに係る信号についてＭＳＫ復調を行い、上記アドレス情報をデコードするアドレスデコード手段と、上記記録再生領域の再生時において、上記記録マーク抽出手段によって抽出された上記記録マークに係る信号についてデコード処理を行い、記録マークとして記録された情報を得る相変化マークデコード手段と、上記再生専用領域の再生時において、上記ウォブリング抽出手段によって抽出された上記ウォブリングに係る信号についてデコードを行い、上記プリレコーデッド情報を得るプリレコーデッド情報デコード手段とを備える。
【００１２】
本発明の再生方法は、ディスク上にトラックを形成するためのグルーブがスパイラル状に形成されており、上記グルーブのウォブリングによってアドレス情報が記録されると共に、当該グルーブによって形成されるトラックが記録マークの記録再生に用いられる記録再生領域と、上記グルーブのウォブリングによってプリレコーデッド情報が記録される再生専用領域と、を有し、上記記録再生領域に記録マークで記録されるデータは、先頭に配置されたフレーム同期信号と、ロングディスタンスコードでエラー訂正符号化された３８バイトごとに区切られているユーザデータと、該３８バイトごとに区切られたユーザデータごとに挿入されるバーストエラー検出コードとからなる所定数の単位から構成され、上記記録再生領域に記録マークで記録されるデータの単位は、４つの上記ユーザデータの間に３つのバーストエラー検出コードが挿入されて構成され、上記記録再生領域に記録マークで記録されるデータの前記所定数の単位に相当する区間における上記グルーブのウォブリングによるアドレス情報は、シンクパートとデータパートから成る複数のアドレスブロックから成り、上記データパートは、１５個のＡＤＩＰブロックで構成され、上記ＡＤＩＰブロックは４ビットのＡＤＩＰデータを有するディスク記録媒体に対する再生方法として、上記記録再生領域の再生時には、トラックに対してレーザ照射を行った際の反射光信号から、トラックのウォブリングに係る信号、及び記録マークに係る信号を抽出し、抽出された上記ウォブリングに係る信号についてＭＳＫ復調を行って上記アドレス情報をデコードするとともに、抽出された上記記録マークに係る信号についてデコード処理を行って記録マークとして記録された情報を得、上記再生専用領域の再生時には、トラックに対してレーザ照射を行った際の反射光信号から、トラックのウォブリングに係る信号を抽出し、抽出された上記ウォブリングに係る信号についてデコードを行い、上記プリレコーデッド情報を得る。
【発明の効果】
【００１３】
本発明のディスク記録媒体は、トラッキングを行うトラックを形成するためにディスク上にスパイラル状に形成されたグルーブをウォブリングすることによって、記録再生領域と再生専用領域を形成する。そして記録再生領域は、グルーブのウォブリングによりアドレス情報を記録し、アドレス情報を記録したグルーブによって形成されるトラックに、フェーズチェンジマークにより情報を記録再生する領域とし、また再生専用領域は、グルーブのウォブリングによってプリレコーデッド情報を記録した領域としている。
このため、エンボスピットによりプリレコーデッド情報を記録する必要が無くなる。そしてエンボスピットを形成する必要がないため、グルーブの深さを浅くすることができる。つまりエンボスピットの再生特性を考慮せずに、グルーブの深さを高密度記録にとって最適な状態に設定できる。従って、例えば直径１２ｃｍのディスクに２３ＧＢなどの容量を実現するような高密度記録が可能となる。
またディスクドライブ装置側では、プリレコーデッド情報をアドレス情報（ＡＤＩＰ）と同じウォブルチャンネルの再生系で再生（ウォブル情報の抽出）することができる。
【００１４】
また再生専用領域はフェーズチェンジマークによる情報を記録しない領域としている。フェイズチェンジマークは、高反射率の記録層を低反射率に変換するマークといえるものであるため、フェイズチェンジマークが記録されたトラックは平均的に反射率は下がる。つまり戻り光が少なくなるが、これはグルーブのウォブリング成分の抽出にとってはＳＮＲ（Signal Noise Ratio）の点で不利となる。本発明では再生専用領域においてフェイズチェンジマークが記録されないことは、プリレコーデッド情報のＳＮＲの劣化を防ぐことができ、品質のよいウォブリング信号を得ることができるものである。
【００１５】
そして以上のことから、本発明は大容量のディスク記録媒体として好適であるとともに、ディスクドライブ装置の記録再生動作性能も向上され、さらにウォブル処理回路系は簡易なものでよいという大きな効果が得られる。
【図面の簡単な説明】
【００１６】
【図１】本発明の実施の形態のディスクのグルーブの説明図である。
【図２】実施の形態のディスクのエリア構造の説明図である。
【図３】実施の形態のディスクのグルーブのウォブリング方式の説明図である。
【図４】実施の形態のプリレコーデッド情報の変調方式の説明図である。
【図５】実施の形態のフェイズチェンジマークのＥＣＣ構造の説明図である。
【図６】実施の形態のプリレコーデッド情報のＥＣＣ構造の説明図である。
【図７】実施の形態のフェイズチェンジマーク及びプリレコーデッド情報のフレーム構造の説明図である。
【図８】実施の形態のプリレコーデッド情報のフレームシンクの説明図である。
【図９】実施の形態のプリレコーデッド情報のフレームシンク配置の説明図である。
【図１０】実施の形態のプリレコーデッド情報のＢＩＳ構造の説明図である。
【図１１】実施の形態のプリレコーデッド情報のＢＩＳ構造の説明図である。
【図１２】実施の形態のプリレコーデッド情報のＢＩＳ構造の説明図である。
【図１３】実施の形態のプリレコーデッド情報のＢＩＳ構造の説明図である。
【図１４】実施の形態のプリレコーデッド情報のアドレスユニットの説明図である。
【図１５】実施の形態のＡＤＩＰ情報の変調方式の説明図である。
【図１６】実施の形態のＲＵＢに対するアドレスブロックの説明図である。
【図１７】実施の形態のディスクのシンクパートの説明図である。
【図１８】実施の形態のディスクのシンクビットパターンの説明図である。
【図１９】実施の形態のディスクのデータパートの説明図である。
【図２０】実施の形態のディスクのＡＤＩＰビットパターンの説明図である。
【図２１】実施の形態のＡＤＩＰ情報のＥＣＣ構造の説明図である。
【図２２】実施の形態のディスクドライブ装置のブロック図である。
【図２３】実施の形態のディスクドライブ装置のＭＳＫ復調部のブロック図である。
【図２４】実施の形態のディスクドライブ装置のＭＳＫ復調処理の説明図である。
【図２５】実施の形態のディスクを製造するカッティング装置のブロック図である。
【発明を実施するための形態】
【００１７】
以下、本発明の実施の形態としての光ディスクを説明するとともに、その光ディスクに対応するディスクドライブ装置（記録再生装置）及び製造方法について、次の順序で説明する。
１．ディスク
１−１．光ディスクの物理特性
１−２．プリレコーデッド情報
１−３．ＡＤＩＰアドレス
２．ディスクドライブ装置
３．ディスク製造方法
【００１８】
１．ディスク
１−１．光ディスクの物理特性
まず実施の形態となるディスクにおける物理的な特性及びウォブリングトラックについて説明する。
【００１９】
本例の光ディスクは、例えばＤＶＲ（Data&Video Recording）と呼ばれて近年開発されているディスクの範疇に属するものであり、特にＤＶＲ方式として新規なウォブリング方式を有するものである。
本例の光ディスクは、相変化方式でデータの記録を行う光ディスクであり、ディスクサイズとしては、直径が１２０ｍｍとされる。また、ディスク厚は１．２ｍｍとなる。即ちこれらの点では外形的に見ればＣＤ（Compact Disc）方式のディスクや、ＤＶＤ（Digital Versatile Disc）方式のディスクと同様となる。
【００２０】
記録／再生のためのレーザ波長は４０５ｎｍとされ、いわゆる青色レーザが用いられるものとなる。光学系のＮＡは０．８５とされる。
相変化マーク（フェイズチェンジマーク）が記録されるトラックのトラックピッチは０．３２μｍ、線密度０．１２μｍとされる。
そしてユーザーデータ容量としては約２３Ｇバイトを実現している。
【００２１】
データ記録はグルーブ記録方式である。つまりディスク上には予めグルーブ（溝）によるトラックが形成され、このグルーブに対して記録が行われる。
図１（ａ）に模式的に示すように、ディスク上は、最内周側から最外周側までグルーブＧＶがスパイラル状に形成される。なお別例として、グルーブＧＶを同心円状に形成することも可能である。
また、ディスクはＣＬＶ（線速度一定）方式で回転駆動されてデータの記録再生が行われるものとしているが、グルーブＧＶについてもＣＬＶとされる。従って、トラック１周回のグルーブのウォブリング波数はディスク外周側に行くほど多くなる。
【００２２】
このようなグルーブＧＶは、図１（ｂ）に示すようにウォブリング（蛇行）されて形成されることにより物理アドレスが表現される。
つまりグルーブＧＶの左右の側壁は、アドレス等に基づいて生成された信号に対応して蛇行している。
グルーブＧＶとその隣のグルーブＧＶの間はランドＬとされ、上述のようにデータの記録はグルーブＧＶに行われる。つまりグルーブＧＶがデータトラックとなる。なお、ランドＬをデータトラックとしてデータの記録をランドＬに行うようにすることや、グルーブＧＶとランドＬの両方をデータトラックとして用いることも考えられる。
【００２３】
図２は、ディスク全体のレイアウト（領域構成）を示す。
ディスク上の領域としては、内周側からリードインゾーン、データゾーン、リードアウトゾーンが配される。
また、記録・再生に関する領域構成としてみれば。リードインゾーンの内周側がＰＢゾーン（再生専用領域）、リードインゾーンの外周側からリードアウトゾーンまでがＲＷゾーン（記録再生領域）とされる。
【００２４】
リードインゾーンは、半径２４ｍｍより内側に位置する。そして半径２２．３〜２３．１ｍｍがプリレコーデッドデータゾーンとされる。
プリレコーデッドデータゾーンは、あらかじめコピープロテクションにつかう情報等（プリレコーデッド情報）を、ディスク上にスパイラル状に形成されたグルーブをウォブリングすることによって記録してある。これは書換不能な再生専用の情報であり、つまりプリレコーデッドデータゾーンが上記ＰＢゾーン（再生専用領域）となる。
【００２５】
プリレコーデッドデータゾーンにおいてプリレコーデッド情報として例えばコピープロテクション情報が記録されるが、このコピープロテクション情報を用いて、例えば次のようなことが行われる。
本例にかかる光ディスクシステムでは、登録されたドライブ装置メーカー、ディスクメーカーがビジネスを行うことができ、その登録されたことを示す、メディアキー、あるいは、ドライブキーを有している。
ハックされた場合、そのドライブキー或いはメディアキーがコピープロテクション情報として記録される。このメディアキー、ドライブキーを有した、メディア或いはドライブは、この情報により、記録再生をすることをできなくすることができる。
【００２６】
リードインゾーンにおいて半径２３．１〜２４ｍｍにはテストライトエリア及びディフェクトマネジメントエリアが設けられる。
テストライトエリアは記録／再生時のレーザパワー等、フェーズチェンジマークの記録再生条件を設定する際の試し書きなどにつかわれる。
ディフェクトマネジメントエリアはディスク上のディフェクト情報を管理する情報を記録再生する。
【００２７】
半径２４．０〜５８．０ｍｍがデータゾーンとされる。データゾーンは、実際にユーザーデータがフェイズチェンジマークにより記録再生される領域である。
半径５８．０〜５８．５ｍｍはリードアウトゾーンとされる。リードアウトゾーンは、リードインゾーンと同様のディフェクトマネジメントエリアが設けられたり、また、シークの際、オーバーランしてもよいようにバッファエリアとしてつかわれる。
半径２３．１ｍｍ、つまりテストライトエリアから、リードアウトゾーンまでが、フェイズチェンジマークが記録再生されるＲＷゾーン（記録再生領域）とされる。
【００２８】
図３にＲＷゾーンとＰＢゾーンのトラックの様子を示す。図３（ａ）はＲＷゾーンにおけるグルーブのウォブリングを、図３（ｂ）はＰＢゾーンにおけるグルーブのウォブリングを、それぞれ示している。
【００２９】
ＲＷゾーンでは、あらかじめアドレス情報（ＡＤＩＰ）を、トラッキングを行うために、ディスク上にスパイラル状に形成されたグルーブをウォブリングすることによって、形成してある。
アドレス情報を形成したグルーブには、フェーズチェンジマークにより情報を記録再生する。
図３（ａ）に示すように、ＲＷゾーンにおけるグルーブ、つまりＡＤＩＰアドレス情報を形成したグルーブトラックは、トラックピッチＴＰ＝０．３２μｍとされている。
このトラック上にはフェイズチェンジマークによるレコーディングマークが記録されるが、フェーズチェンジマークはＲＬＬ（１，７）ＰＰ変調方式（ＲＬＬ；Run Length Limited、ＰＰ：Parity preserve/Prohibit rmtr(repeated minimum transition runlength)）等により、線密度0.12μｍ/bit、0.08μｍ/ch bitで記録される。
１ｃｈビットを１Ｔとすると、マーク長は２Ｔから８Ｔで最短マーク長は２Ｔである。
アドレス情報は、ウォブリング周期を６９Ｔとし、ウォブリング振幅ＷＡはおよそ２０ｎｍ（p-p）である。
【００３０】
アドレス情報と、フェーズチェンジマークは、その周波数帯域が重ならないようにしており、これによってそれぞれの検出に影響を与えないようにしてある。
アドレス情報のウォブリングのＣＮＲ（carrier noise ratio）はバンド幅３０ＫＨｚのとき、記録後３０ｄＢであり、アドレスエラーレートは節動（ディスクのスキュー，デフォーカス、外乱等）による影響を含めて１×１０-3以下である。
【００３１】
一方、図３（ｂ）のＰＢゾーンにおけるグルーブによるトラックは、上記図３（ａ）のＲＷゾーンのグルーブによるトラックより、トラックピッチが広く、ウォブリング振幅が大きいものとされている。
即ちトラックピッチＴＰ＝０．３５μｍであり、ウォブリング周期は３６Ｔ、ウォブリング振幅ＷＡはおよそ４０ｎｍ（p-p）とされている。ウォブリング周期が３６Ｔとされることはプリレコーデット情報の記録線密度はＡＤＩＰ情報の記録線密度より高くなっていることを意味する。また、フェーズチェンジマークは最短２Ｔであるから、プリレコーデッド情報の記録線密度はフェーズチェンジマークの記録線密度より低い。
このＰＢゾーンのトラックにはフェーズチェンジマークを記録しない。
【００３２】
ウォブリング波形は、ＲＷゾーンでは正弦波状に形成するが、ＰＢゾーンでは、正弦波状か或いは矩形波状で記録することができる。
【００３３】
フェーズチェンジマークは、バンド幅３０ＫＨｚのときＣＮＲ５０ｄＢ程度の信号品質であれば、データにＥＣＣ（エラー訂正コード）をつけて記録再生することで、エラー訂正後のシンボルエラーレートを１×１０-16以下を達成でき、データの記録再生として使えることが知られている。
ＡＤＩＰアドレス情報についてのウォブルのＣＮＲはバンド幅３０ＫＨｚのとき、フェイズチェンジマークの未記録状態で３５ｄＢである。
アドレス情報としては、いわゆる連続性判別に基づく内挿保護を行うことなどによりこの程度の信号品質で十分であるが、ＰＢゾーンに記録するプリレコーデッド情報については、フェイズチェンジマークと同等のＣＮＲ５０ｄＢ以上の信号品質は確保したい。このため、図３（ｂ）に示したようにＰＢゾーンでは、ＲＷゾーンにおけるグルーブとは物理的に異なるグルーブを形成するものである。
【００３４】
まず、トラックピッチを広くすることにより、となりのトラックからのクロストークをおさえることができ、ウォブル振幅を２倍にすることにより、ＣＮＲを＋６ｄＢ改善できる。
さらにウォブル波形として矩形波をつかうことによって、ＣＮＲを＋２ｄＢ改善できる。
あわせてＣＮＲは43dBである。
フェーズチェンジマークとプリレコーデッドデータゾーンのウォブルの記録帯域の違いは、ウォブル１８Ｔ（１８Ｔは３６Ｔの半分）；フェイズチェンジマーク２Ｔで、この点で９．５ｄＢ得られる。
従ってプリレコーデッド情報としてのＣＮＲは５２．５ｄＢ相当であり、となりのトラックからのクロストークとして−２ｄＢを見積もっても、ＣＮＲ５０．５ｄＢ相当である。つまり、ほぼフェーズチェンジマークと同程度の信号品質となり、ウォブリング信号をプリレコーデッド情報の記録再生に用いることが十分に適切となる。
【００３５】
１−２．プリレコーデッド情報
図４に、プリレコーデッドデータゾーンにおけるウォブリンググルーブを形成するための、プリレコーデッド情報の変調方法を示す。
変調はＦＭコードをつかう。
図４（ａ）にデータビット、図４（ｂ）にチャンネルクロック、図４（ｃ）にＦＭコード、図４（ｄ）にウォブル波形を縦に並べて示している。
データの１bitは２ｃｈ（２チャンネルクロック）であり、ビット情報が「１」のとき、ＦＭコードはチャンネルクロックの１．２の周波数とされる。
またビット情報が「０」のとき、ＦＭコードはビット情報「１」の１／２の周波数であらわされる。
ウォブル波形としては、ＦＭコードを矩形波を直接記録することもあるが、図４（ｄ）に示すように正弦波状の波形で記録することもある。
【００３６】
なお、ＦＭコード及びウォブル波形は図４（ｃ）（ｄ）とは逆極性のパターンとして、図４（ｅ）（ｆ）に示すパターンとしても良い。
【００３７】
上記のようなＦＭコード変調のルールにおいて、図４（ｇ）のようにデータビットストリームが「１０１１００１０」とされているときのＦＭコード波形、およびウォブル波形（正弦波状波形）は図４（ｈ）（ｉ）に示すようになる。
なお、図４（ｅ）（ｆ）に示すパターンに対応した場合は、図４（ｊ）（ｋ）に示すようになる。
【００３８】
図５，図６，図７により、フェイズチェンジマーク及びプリレコーデッド情報についてのＥＣＣフォーマットを説明する。
まず図５には、フェーズチェンジマークで記録再生するメインデータ（ユーザーデータ）についてのＥＣＣフォーマットを示している。
【００３９】
ＥＣＣ（エラー訂正コード）としては、メインデータ６４ＫＢ（＝１セクターの２０４８バイト×３２セクター）に対するＬＤＣ（long distance code）と、ＢＩＳ(Burst indicator subcode)の２つがある。
【００４０】
図５（ａ）に示すメインデータ６４ＫＢについては、図５（ｂ）のようにＥＣＣエンコードされる。即ちメインデータは１セクタ２０４８Ｂについて４ＢのＥＤＣ(error detection code)を付加し、３２セクタに対し、ＬＤＣを符号化する。ＬＤＣはＲＳ(248,216,33)、符号長２４８、データ２１６、ディスタンス３３のＲＳ(reed solomon)コードである。３０４の符号語がある。
【００４１】
一方、ＢＩＳは、図５（ｃ）に示す７２０Ｂのデータに対して、図５（ｄ）のようにＥＣＣエンコードされる。即ちＲＳ(62,30,33)、符号長６２、データ３０、ディスタンス３３のＲＳ(reed solomon)コードである。２４の符号語がある。
【００４２】
図７（ａ）にＲＷゾーンにおけるメインデータについてのフレーム構造を示している。
上記ＬＤＣのデータと、ＢＩＳは図示するフレーム構造を構成する。即ち１フレームにつき、データ（３８Ｂ）、ＢＩＳ（１Ｂ）、データ（３８Ｂ）、ＢＩＳ（１Ｂ）、データ（３８Ｂ）が配されて１５５Ｂの構造となる。つまり１フレームは３８Ｂ×４の１５２Ｂのデータと、３８ＢごとにＢＩＳが１Ｂ挿入されて構成される。
フレームシンクＦＳ（フレーム同期信号）は、１フレーム１５５Ｂの先頭に配される。１つのブロックには４９６のフレームがある。
ＬＤＣデータは、０，２，・・・の偶数番目の符号語が、０，２，・・・の偶数番目のフレームに位置し、１，３，・・・の奇数番目の符号語が、１，３，・・・の奇数番目のフレームに位置する。
【００４３】
ＢＩＳはＬＤＣの符号より訂正能力が非常に優れた符号をもちいており、ほぼ、すべて訂正される。つまり符号長６２に対してディスタンスが３３という符号を用いている。
このため、エラーが検出されたＢＩＳのシンボルは次のように使うことができる。
ＥＣＣのデコードの際、ＢＩＳを先にデコードする。図７（ａ）のフレーム構造において隣接したＢＩＳあるいはフレームシンクＦＳの２つがエラーの場合、両者のあいだにはさまれたデータ３８Ｂはバーストエラーとみなされる。このデータ３８Ｂにはそれぞれエラーポインタが付加される。ＬＤＣではこのエラーポインタをつかって、ポインターイレージャ訂正をおこなう。
これによりＬＤＣだけの訂正より、訂正能力を上げることができる。
ＢＩＳにはアドレス情報等が含まれている。このアドレスは、ＲＯＭタイプディスク等で、ウォブリンググルーブによるアドレス情報がない場合等につかわれる。
【００４４】
次に図６にプリレコーデッド情報についてのＥＣＣフォーマットを示す。
この場合ＥＣＣには、メインデータ４ＫＢ（１セクタ２０４８Ｂ×２セクタ）に対するＬＤＣ（long distance code）とＢＩＳ(Burst indicator subcode)の２つがある。
【００４５】
図６（ａ）に示すプリレコーデッド情報としてのデータ４ＫＢについては、図６（ｂ）のようにＥＣＣエンコードされる。即ちメインデータは１セクタ２０４８Ｂについて４ＢのＥＤＣ(error detection code)を付加し、２セクタに対し、ＬＤＣを符号化する。ＬＤＣはＲＳ(248,216,33)、符号長２４８、データ２１６、ディスタンス３３のＲＳ(reed solomon)コードである。１９の符号語がある。
【００４６】
一方、ＢＩＳは、図６（ｃ）に示す１２０Ｂのデータに対して、図６（ｄ）のようにＥＣＣエンコードされる。即ちＲＳ(62,30,33)、符号長６２、データ３０、ディスタンス３３のＲＳ(reed solomon)コードである。４つの符号語がある。
【００４７】
図７（ｂ）にＰＢゾーンにおけるプリレコーデッド情報についてのフレーム構造を示している。
上記ＬＤＣのデータと、ＢＩＳは図示するフレーム構造を構成する。即ち１フレームにつき、フレームシンクＦＳ（１Ｂ）、データ（１０Ｂ）、ＢＩＳ（１Ｂ）、データ（９Ｂ）が配されて２１Ｂの構造となる。つまり１フレームは１９Ｂのデータと、ＢＩＳが１Ｂ挿入されて構成される。
フレームシンクＦＳ（フレーム同期信号）は、１フレームの先頭に配される。１つのブロックには２４８のフレームがある。
【００４８】
この場合もＢＩＳはＬＤＣの符号より訂正能力が非常に優れた符号をもちいており、ほぼ、すべて訂正される。このため、エラーが検出されたＢＩＳのシンボルは次のように使うことができる。
ＥＣＣのデコードの際、ＢＩＳを先にデコードする。隣接したＢＩＳ或いはフレームシンクＦＳの２つがエラーの場合、両者のあいだにはさまれたデータ１０Ｂ、あるいは９Ｂはバーストエラーとみなされる。このデータ１０Ｂ、あるいは９Ｂにはそれぞれエラーポインタが付加される。ＬＤＣではこのエラーポインタをつかって、ポインターイレージャ訂正をおこなう。
これによりＬＤＣだけの訂正より、訂正能力をあげることができる。
【００４９】
ＢＩＳにはアドレス情報等が含まれている。プリレコーデッドデータゾーンではプリレコーデッド情報がウォブリンググルーブによって記録され、従ってウォブリンググルーブによるアドレス情報は無いため、このＢＩＳにあるアドレスがアクセスのために使われる。
【００５０】
図５，図６からわかるように、フェイズチェンジマークによるデータとプリレコーデッド情報は、ＥＣＣフォーマットとしては、同一の符号及び構造が採用される。
これは、プリレコーデッド情報のＥＣＣデコード処理は、フェイズチェンジマークによるデータ再生時のＥＣＣデコード処理を行う回路系で実行でき、ディスクドライブ装置としてはハードウエア構成の効率化を図ることができることを意味する。
【００５１】
図８はプリレコーデッドデータゾーンのフレームシンクを示す。
フレームシンクＦＳとしては７種類のフレームシンクＦＳ０〜ＦＳ６がある。各フレームシンクＦＳ０〜ＦＳ６はＦＭコード変調のアウトオブルールとしてのパターンを用いた、シンクボディ「１１００１００１」の８チャンネルビットと、７種類のフレームシンクＦＳ０〜ＦＳ６のそれぞれについてのシンクＩＤの８チャンネルビットの合計１６チャンネルビットより構成される。
【００５２】
シンクＩＤはデータビットであらわすと、たとえば、フレームシンクＦＳ０は「０００」の３bitとパリティ１bit（ここでは０）よりあらわされ、これがＦＭコード変調され「１０１０１０１０」となる。
他のシンクＩＤも同様に、３bitのデータビットとパリティ１bitによりあらわされ、ＦＭコード変調される。
フレームシンクＦＳは記録の際に、NRZI変換されて記録される。
【００５３】
図９にフレームシンクのマッピングを示す。
上記図７（ｂ）に示したプリレコーデッド情報の１ＥＣＣブロックの２４８フレームは、８つの３１フレームづつのアドレスフレームに分割される。
各アドレスフレームとも、０から３０のフレームナンバをもつ。フレームナンバ「０」には、他のフレームシンクには使われない特別のフレームシンクとしてＦＳ０を用いる。このフレームシンクＦＳ０により、アドレスフレームの先頭を見出すことができ、アドレス同期を行うことができる。
フレームナンバ「１」から「３０」には、図９に示す順番でフレームシンク（ＦＳ１〜ＦＳ６）を配置する。このフレームシンクの並ぶ順番により、先頭のフレームシンクＦＳ０が特定できなくとも、アドレスフレームの先頭を特定することもできる。
【００５４】
ところで、プリレコーデッドデータゾーンではＢＩＳに含まれるアドレスがアクセスのために使われると述べた。
図１０にプリレコーデッドデータゾーンのＥＣＣブロックにおいてＢＩＳに入れる情報を示している。
ＢＩＳ情報は、アドレスとユーザーコントロールデータより構成される。
【００５５】
ＢＩＳにおけるアドレスフィールドを図１０（ａ）に示す。アドレスとしては、１ＥＣＣブロックの中に、８アドレスフィールド（＃０〜＃７）ある。
１つのアドレスフィールドは９byteより構成される。例えばアドレスフィールド＃０は、Ａ０-0〜Ａ０-8の９バイトで構成される。
各アドレスフィールドのＭＳＢ４ByteにはＡＵＮ(address unit number)というＥＣＣブロックアドレスを示すアドレス値が配される。
また各アドレスフィールドの５バイト目には、その下位３bit(３Lsbit)には、アドレスフィールドナンバが配される。
さらに各アドレスフィールドの下位４Byteには各アドレスフィールドに対するパリティが配される。
【００５６】
一方、ＢＩＳにおけるユーザーコントロールデータは、図１０（ｂ）のように１ＥＣＣブロック内に２ユニット（＃０，＃１）ある。
ユーザーコントロールデータの１ユニットは２４byteより構成される。例えばユニット＃０は、ＵＣ０-0〜ＵＣ０-23の２４バイトで構成される。
このユーザーコントロールデータは将来のシステムに使われるようにリザーブしてある。
【００５７】
図１１にプリレコーデッドデータゾーンのＥＣＣブロックのＢＩＳ、つまりＢＩＳクラスタのＢＩＳ情報の構成を示す。
ＢＩＳクラスタは、４訂正符号より構成される。ここではパリティを除いた情報のみを示す。符号は、図のカラム（column）方向に構成される。ＢＩＳクラスタは４カラムで構成される。
１カラムの情報は、アドレスが１８row、ユーザーコントロールデータ１２rowのトータル３０rowより構成される。
【００５８】
各アドレスフィールド＃０〜＃７のアドレスは、図示するように４カラムにインタリーブされて配置される。ここではアドレスフィールド＃０、＃１、＃２までを示しているのみであるが、例えばアドレスフィールド＃０を構成するＡ０-0〜Ａ０-8の９バイトは、図中斜線部として示す位置に配置されることになる。
また、ユーザーコントロールデータも図のように１２rowの範囲にユニット＃０，＃１がそれぞれ配置される。
記録する際は、たとえば、図に示すアドレスフィールド＃０が順次配置されるように、ＢＩＳクラスタのななめ方向に記録される。
【００５９】
図１２にパリティを含めたＢＩＳクラスタ全体を示す。
ＢＩＳのエラー訂正符号は上述したようにＲＳ(62,30,33)である。ＢＩＳクラスタには符号長６２シンボルの符号が４符号あり、１符号は図中矢印で示すように縦方向にエンコードされる。
【００６０】
図１３はパリティを含めたＢＩＳクラスタの２４８シンボルの記録する順番を示している。
ＢＩＳクラスタは記録の際、８アドレスユニットとして記録される。
１つのアドレスユニットは図１４に示すように３１シンボルより構成される。
各アドレスユニットの先頭９byteには、各アドレスユニット番号に対応した番号の、アドレスフィールド＃ｎとしての９byte（Ａｎ-0〜Ａｎ-8）が配置される。例えばアドレスユニット０にはアドレスフィールド＃０（Ａ０-0〜Ａ０-8）が配置される。
例えばこのようなアドレスユニット０としての３１シンボルは、図１３において斜線部として示すように配置されることになる。
【００６１】
１アドレスユニットの３１シンボルは、上述した３１アドレスフレームに対応し、図９のフレームナンバーとフレームシンクパターン（ＦＳ０〜ＦＳ６）により、フレームシンクＦＳ０のタイミングから、１アドレスユニットのタイミングを検出することができ、これにより、各アドレスフィールド（＃０〜＃７）のアドレスを再生することができる。
【００６２】
１−３．ＡＤＩＰアドレス
続いて、ＲＷゾーンにおけるウォブリンググルーブとして記録されるＡＤＩＰアドレスについて説明する。
図１５は、グルーブをウォブリングしたＡＤＩＰアドレスの変調方法として、ＦＳＫ変調の一つであるＭＳＫ(minimum shift keying)変調を用いたものを示している。
【００６３】
データの検出長は２ウォブル区間を単位とする。なお、１ウォブル区間とはキャリア周波数によるウォブルの１周期区間である。
アドレス等のデータは、図１５（ａ）（ｂ）に示すように、記録前に、１ウォブルを単位として、差動符号化する。
つまり、記録前の差動符号化後のプリコードデータにおいて、データが“１”のエッジの立ち上がりと立ち下がりの１ウォブル期間が、“１”になる。
このようなプリコードデータをＭＳＫ変調したＭＳＫストリームでは、図１５（ｃ）のように、プリコードデータが“０”のとき、キャリアであるcosωｔあるいは−cosωｔとなり、プリコードデータが“１”のとき、キャリアの周波数の1.5倍のcos1.5ωｔあるいは−cos1.5ωｔとなる。
キャリアの周期は図に示すように、記録再生するフェーズチェンジデータの１チャンネルビット長を１chとすると、６９chである。
【００６４】
本例の場合、データの記録単位である１つのＲＵＢ（recording unit block：記録再生クラスタ）に対しては、ＡＤＩＰアドレスとして３つのアドレスが入るものとされる。
図１６にその様子を示す。ＲＵＢ（記録再生クラスタ）は、図７（ａ）に示したデータのＥＣＣブロックの４９６フレームに、その前後に２フレームのＰＬＬ等のためのリンクエリアを付加した４９８フレームとして記録再生の単位である。
そして図１６（ａ）のように１つのＲＵＢに相当する区間において、ＡＤＩＰとしては３つのアドレスブロックが含まれることになる。
１つのアドレスブロックは８３ビットから形成される。
【００６５】
図１６（ｂ）に１つのアドレスブロックの構成を示している。８３ビットのアドレスブロックは、８ビットのシンクパート（同期信号パート）と、７５ビットのデータパートからなる。
シンクパートの８ビットでは、モノトーンビット（１ビット）とシンクビット（１ビット）によるシンクブロックが４単位形成される。
データパートの７５ビットでは、モノトーンビット（１ビット）とＡＤＩＰビット（４ビット）によるＡＤＩＰブロックが１５単位形成される。
モノトーンビット、シンクビット、及びＡＤＩＰビットは、それぞれ５６ウォブル期間のウォブルで形成される。これらのビットの先頭にはビットシンクの為のＭＳＫマークが配される。
そしてモノトーンビットはＭＳＫマークに続いて、キャリア周波数によるウォブルが連続して形成される。シンクビット及びＡＤＩＰビットは後述するが、ＭＳＫマークに続いて、ＭＳＫ変調波形によるウォブルを有して形成される。
【００６６】
まずシンクパートの構成を図１７で説明する。
図１７（ａ）（ｂ）からわかるように、８ビットのシンクパートは、４つのシンクブロック（ｓｙｎｃ  ｂｌｏｃｋ“０”“１”“２”“３”）から形成される。各シンクブロックは２ビットである。
【００６７】
ｓｙｎｃ  ｂｌｏｃｋ“０”は、モノトーンビットとシンク“０”ビットで形成される。
ｓｙｎｃ  ｂｌｏｃｋ“１”は、モノトーンビットとシンク“１”ビットで形成される。
ｓｙｎｃ  ｂｌｏｃｋ“２”は、モノトーンビットとシンク“２”ビットで形成される。
ｓｙｎｃ  ｂｌｏｃｋ“３”は、モノトーンビットとシンク“３”ビットで形成される。
【００６８】
各シンクブロックにおいて、モノトーンビットは上述したようにキャリアをあらわす単一周波数のウォブルが連続する波形であり、これを図１８（ａ）に示す。即ち５６ウォブル期間に、先頭にビットシンクｂｓとしてのＭＳＫマークが付され、それに続いて単一周波数のウォブルが連続する。
なお図１８（ａ）〜（ｅ）において、それぞれウォブル振幅の下段にＭＳＫマークパターンを示している。
【００６９】
シンクビットとしては、上記のようにシンク“０”ビット〜シンク“３”ビットまでの４種類がある。
これら４種類の各シンクビットは、それぞれ図１８（ｂ）（ｃ）（ｄ）（ｅ）に示すようなウォブルパターンとされる。
【００７０】
図１８（ｂ）のシンク“０”ビットは、ビットシンクｂｓとしてのＭＳＫマークに続いて、１６ウォブル区間後にＭＳＫマークがあり、さらに１０ウォブル区間後にＭＳＫマークがあるパターンとなる。
シンク“１”ビット〜シンク“３”ビットは、それぞれＭＳＫマークの位置を２ウォブル区間後方にずらしたパターンである。
即ち図１８（ｃ）のシンク“１”ビットは、ビットシンクｂｓとしてのＭＳＫマークに続いて、１８ウォブル区間後にＭＳＫマークがあり、さらにその１０ウォブル区間後にＭＳＫマークがあるパターンとなる。
図１８（ｄ）のシンク“２”ビットは、ビットシンクｂｓとしてのＭＳＫマークに続いて、２０ウォブル区間後にＭＳＫマークがあり、さらにその１０ウォブル区間後にＭＳＫマークがあるパターンとなる。
図１８（ｅ）のシンク“３”ビットは、ビットシンクｂｓとしてのＭＳＫマークに続いて、２２ウォブル区間後にＭＳＫマークがあり、さらにその１０ウォブル区間後にＭＳＫマークがあるパターンとなる。
【００７１】
各シンクパターンは、モノトーンビット及び次に説明するＡＤＩＰビットに対してユニークなパターンとなっている。このように４つのパターンのシンクビットが、各シンクブロックに配されることになり、ディスクドライブ装置側では、シンクパート区間からこの４つのパターンのシンクユニットのいずれかを検出できれば、同期をとることができるようにされている。
【００７２】
次にアドレスブロックにおけるデータパートの構成を図１９で説明する。
図１９（ａ）（ｂ）からわかるように、データパートは、１５個のＡＤＩＰブロック（ＡＤＩＰ  ｂｌｏｃｋ“０”〜“１４”）から形成される。各ＡＤＩＰブロックは５ビットである。
【００７３】
５ビットの各ＡＤＩＰブロックは、モノトーンビットが１ビットとＡＤＩＰビットが４ビットで構成される。
各ＡＤＩＰブロックにおいて、シンクブロックの場合と同様に、モノトーンビットは５６ウォブル期間において先頭にビットシンクｂｓとしてのＭＳＫマークが配され、続いてキャリア周波数のウォブルが連続する波形であり、これを図２０（ａ）に示している。
【００７４】
１つのＡＤＩＰブロックに４ビットのＡＤＩＰビットが含まれるため、１５個のＡＤＩＰブロックにより６０ＡＤＩＰビットでアドレス情報が形成される。
ＡＤＩＰビットとしての「１」及び「０」のパターンを図２０（ｂ）（ｃ）に示す。
ＡＤＩＰビットとしての値が「１」の場合のウォブル波形パターンは、図２０（ｂ）に示すように、先頭に配されるビットシンクｂｓとしてのＭＳＫマークに続いて、１２ウォブル区間後方にＭＳＫマークが配される。
ＡＤＩＰビットとしての値が「０」の場合のウォブル波形パターンは、図２０（ｃ）に示すように、先頭に配されるビットシンクｂｓとしてのＭＳＫマークに続いて、１４ウォブル区間後方にＭＳＫマークが配される。
【００７５】
以上のようにして、ウォブリンググルーブにはＭＳＫ変調データが記録されることになるが、このように記録されるＡＤＩＰ情報としてのアドレスフォーマットは図２１のようになる。
【００７６】
図２１によりＡＤＩＰアドレス情報に対するエラー訂正の方法を示す。
ＡＤＩＰアドレス情報は３６ビットあり、これに対してパリティ２４ビットが付加される。
３６ビットのＡＤＩＰアドレス情報は、多層記録用にレイヤナンバ３bit（layer no.bit 0〜layer no.bit2）、ＲＵＢ(recording unit block)用に１９bit（RUB no.bit 0〜layer no.bit 18）、１ＲＵＢに対する３つのアドレスブロック用に２bit（address no.bit 0、address no.bit1）とされる。
また、記録再生レーザパワー等の記録条件を記録したdisc ID等、ＡＵＸデータとして１２bitが用意されている。
【００７７】
アドレスデータとしてのＥＣＣ単位は、このように合計６０ビットの単位とされ、図示するようにNibble0〜Nibble14の１５ニブル（１ニブル＝４ビット）で構成される。
エラー訂正方式としては４ビットを１シンボルとした、nibbleベースのリードソロモン符号ＲＳ(15,9,7)である。つまり、符号長１５ニブル、データ９ニブル、パリティ６ニブルである。
【００７８】
２．ディスクドライブ装置
次に、上記のようなディスクに対応して記録／再生を行うことのできるディスクドライブ装置を説明していく。
図２２はディスクドライブ装置の構成を示す。
図２２において、ディスク１００は上述した本例のディスクである。
【００７９】
ディスク１００は、図示しないターンテーブルに積載され、記録／再生動作時においてスピンドルモータ２によって一定線速度（ＣＬＶ）で回転駆動される。
そして光学ピックアップ１によってディスク１００上のＲＷゾーンにおけるグルーブトラックのウォブリングとして埋め込まれたＡＤＩＰ情報の読み出しがおこなわれる。またＰＢゾーンにおけるグルーブトラックのウォブリングとして埋め込まれたプリレコーデッド情報の読み出しがおこなわれる。
また記録時には光学ピックアップによってＲＷゾーンにおけるトラックにユーザーデータがフェイズチェンジマークとして記録され、再生時には光学ピックアップによって記録されたフェイズチェンジマークの読出が行われる。
【００８０】
ピックアップ１内には、レーザ光源となるレーザダイオードや、反射光を検出するためのフォトディテクタ、レーザ光の出力端となる対物レンズ、レーザ光を対物レンズを介してディスク記録面に照射し、またその反射光をフォトディテクタに導く光学系（図示せず）が形成される。
レーザダイオードは、波長４０５ｎｍのいわゆる青色レーザを出力する。また光学系によるＮＡは０．８５である。
【００８１】
ピックアップ１内において対物レンズは二軸機構によってトラッキング方向及びフォーカス方向に移動可能に保持されている。
またピックアップ１全体はスレッド機構３によりディスク半径方向に移動可能とされている。
またピックアップ１におけるレーザダイオードはレーザドライバ１３からのドライブ信号（ドライブ電流）によってレーザ発光駆動される。
【００８２】
ディスク１００からの反射光情報はフォトディテクタによって検出され、受光光量に応じた電気信号とされてマトリクス回路４に供給される。
マトリクス回路４には、フォトディテクタとしての複数の受光素子からの出力電流に対応して電流電圧変換回路、マトリクス演算／増幅回路等を備え、マトリクス演算処理により必要な信号を生成する。
例えば再生データに相当する高周波信号（再生データ信号）、サーボ制御のためのフォーカスエラー信号、トラッキングエラー信号などを生成する。
さらに、グルーブのウォブリングに係る信号、即ちウォブリングを検出する信号としてプッシュプル信号を生成する。
【００８３】
マトリクス回路４から出力される再生データ信号はリーダ／ライタ回路５へ、フォーカスエラー信号及びトラッキングエラー信号はサーボ回路１１へ、プッシュプル信号はウォブル回路８へ、それぞれ供給される。
【００８４】
リーダ／ライタ回路５は、再生データ信号に対して２値化処理、ＰＬＬによる再生クロック生成処理等を行い、フェイズチェンジマークとして読み出されたデータを再生して、変復調回路６に供給する。
変復調回路６は、再生時のデコーダとしての機能部位と、記録時のエンコーダとしての機能部位を備える。
再生時にはデコード処理として、再生クロックに基づいてランレングスリミテッドコードの復調処理を行う。
またＥＣＣエンコーダ／デコーダ７は、記録時にエラー訂正コードを付加するＥＣＣエンコード処理と、再生時にエラー訂正を行うＥＣＣデコード処理を行う。
再生時には、変復調回路６で復調されたデータを内部メモリに取り込んで、エラー検出／訂正処理及びデインターリーブ等の処理を行い、再生データを得る。
ＥＣＣエンコーダ／デコーダ７で再生データにまでデコードされたデータは、システムコントローラ１０の指示に基づいて、読み出され、ＡＶ（Audio-Visual）システム２０に転送される。
【００８５】
グルーブのウォブリングに係る信号としてマトリクス回路４から出力されるプッシュプル信号は、ウォブル回路８において処理される。ＡＤＩＰ情報としてのプッシュプル信号は、ウォブル回路８においてＭＳＫ復調され、ＡＤＩＰアドレスを構成するデータストリームに復調されてアドレスデコーダ９に供給される。
アドレスデコーダ９は、供給されるデータについてのデコードを行い、アドレス値を得て、システムコントローラ１０に供給する。
またアドレスデコーダ９はウォブル回路８から供給されるウォブル信号を用いたＰＬＬ処理でクロックを生成し、例えば記録時のエンコードクロックとして各部に供給する。
【００８６】
また、グルーブのウォブリングに係る信号としてマトリクス回路４から出力されるプッシュプル信号として、ＰＢゾーンからのプリレコーデッド情報としてのプッシュプル信号は、ウォブル回路８においてバンドパスフィルタ処理が行われてリーダ／ライタ回路５に供給される。そしてフェイズチェンジマークの場合と同様に２値化され、データビットストリームとされた後、ＥＣＣエンコーダ／デコーダ７でＥＣＣデコード、デインターリーブされて、プリレコーデッド情報としてのデータが抽出される。抽出されたプリレコーデッド情報はシステムコントローラ１０に供給される。
システムコントローラ１０は、読み出されたプリレコーデッド情報に基づいて、各種設定処理やコピープロテクト処理等を行うことができる。
【００８７】
記録時には、ＡＶシステム２０から記録データが転送されてくるが、その記録データはＥＣＣエンコーダ／デコーダ７におけるメモリに送られてバッファリングされる。
この場合ＥＣＣエンコーダ／デコーダ７は、バファリングされた記録データのエンコード処理として、エラー訂正コード付加やインターリーブ、サブコード等の付加を行う。
またＥＣＣエンコードされたデータは、変復調回路６においてＲＬＬ（１−７）ＰＰ方式の変調が施され、リーダ／ライタ回路５に供給される。
記録時においてこれらのエンコード処理のための基準クロックとなるエンコードクロックは上述したようにウォブル信号から生成したクロックを用いる。
【００８８】
エンコード処理により生成された記録データは、リーダ／ライタ回路５で記録補償処理として、記録層の特性、レーザー光のスポット形状、記録線速度等に対する最適記録パワーの微調整やレーザドライブパルス波形の調整などが行われた後、レーザドライブパルスとしてレーザードライバ１３に送られる。
レーザドライバ１３では供給されたレーザドライブパルスをピックアップ１内のレーザダイオードに与え、レーザ発光駆動を行う。これによりディスク１００に記録データに応じたピット（フェイズチェンジマーク）が形成されることになる。
【００８９】
なお、レーザドライバ１３は、いわゆるＡＰＣ回路（Auto Power Control）を備え、ピックアップ１内に設けられたレーザパワーのモニタ用ディテクタの出力によりレーザ出力パワーをモニターしながらレーザーの出力が温度などによらず一定になるように制御する。記録時及び再生時のレーザー出力の目標値はシステムコントローラ１０から与えられ、記録時及び再生時にはそれぞれレーザ出力レベルが、その目標値になるように制御する。
【００９０】
サーボ回路１１は、マトリクス回路４からのフォーカスエラー信号、トラッキングエラー信号から、フォーカス、トラッキング、スレッドの各種サーボドライブ信号を生成しサーボ動作を実行させる。
即ちフォーカスエラー信号、トラッキングエラー信号に応じてフォーカスドライブ信号、トラッキングドライブ信号を生成し、ピックアップ１内の二軸機構のフォーカスコイル、トラッキングコイルを駆動することになる。これによってピックアップ１、マトリクス回路４、サーボ回路１１、二軸機構によるトラッキングサーボループ及びフォーカスサーボループが形成される。
【００９１】
またサーボ回路１１は、システムコントローラ１０からのトラックジャンプ指令に応じて、トラッキングサーボループをオフとし、ジャンプドライブ信号を出力することで、トラックジャンプ動作を実行させる。
【００９２】
またサーボ回路１１は、トラッキングエラー信号の低域成分として得られるスレッドエラー信号や、システムコントローラ１０からのアクセス実行制御などに基づいてスレッドドライブ信号を生成し、スレッド機構３を駆動する。スレッド機構３には、図示しないが、ピックアップ１を保持するメインシャフト、スレッドモータ、伝達ギア等による機構を有し、スレッドドライブ信号に応じてスレッドモータを駆動することで、ピックアップ１の所要のスライド移動が行なわれる。
【００９３】
スピンドルサーボ回路１２はスピンドルモータ２をＣＬＶ回転させる制御を行う。
スピンドルサーボ回路１２は、ウォブル信号に対するＰＬＬ処理で生成されるクロックを、現在のスピンドルモータ２の回転速度情報として得、これを所定のＣＬＶ基準速度情報と比較することで、スピンドルエラー信号を生成する。
またデータ再生時においては、リーダ／ライタ回路５内のＰＬＬによって生成される再生クロック（デコード処理の基準となるクロック）が、現在のスピンドルモータ２の回転速度情報となるため、これを所定のＣＬＶ基準速度情報と比較することでスピンドルエラー信号を生成することもできる。
そしてスピンドルサーボ回路１２は、スピンドルエラー信号に応じて生成したスピンドルドライブ信号を出力し、スピンドルモータ２のＣＬＶ回転を実行させる。
またスピンドルサーボ回路１２は、システムコントローラ１０からのスピンドルキック／ブレーキ制御信号に応じてスピンドルドライブ信号を発生させ、スピンドルモータ２の起動、停止、加速、減速などの動作も実行させる。
【００９４】
以上のようなサーボ系及び記録再生系の各種動作はマイクロコンピュータによって形成されたシステムコントローラ１０により制御される。
システムコントローラ１０は、ＡＶシステム２０からのコマンドに応じて各種処理を実行する。
【００９５】
例えばＡＶシステム２０から書込命令（ライトコマンド）が出されると、システムコントローラ１０は、まず書き込むべきアドレスにピックアップ１を移動させる。そしてＥＣＣエンコーダ／デコーダ７、変復調回路６により、ＡＶシステム２０から転送されてきたデータ（例えばＭＰＥＧ２などの各種方式のビデオデータや、オーディオデータ等）について上述したようにエンコード処理を実行させる。そして上記のようにリーダ／ライタ回路５からのレーザドライブパルスがレーザドライバ１３に供給されることで、記録が実行される。
【００９６】
また例えばＡＶシステム２０から、ディスク１００に記録されている或るデータ（ＭＰＥＧ２ビデオデータ等）の転送を求めるリードコマンドが供給された場合は、まず指示されたアドレスを目的としてシーク動作制御を行う。即ちサーボ回路１１に指令を出し、シークコマンドにより指定されたアドレスをターゲットとするピックアップ１のアクセス動作を実行させる。
その後、その指示されたデータ区間のデータをＡＶシステム２０に転送するために必要な動作制御を行う。即ちディスク１００からのデータ読出を行い、リーダ／ライタ回路５、変復調回路６、ＥＣＣエンコーダ／デコーダ７におけるデコード／バファリング等を実行させ、要求されたデータを転送する。
【００９７】
なお、これらのフェイズチェンジマークによるデータの記録再生時には、システムコントローラ１０は、ウォブル回路８及びアドレスデコーダ９によって検出されるＡＤＩＰアドレスを用いてアクセスや記録再生動作の制御を行う。
【００９８】
また、ディスク１００が装填された際など所定の時点で、システムコントローラ１０は、ディスク１００のＰＢゾーンにウォブリンググルーブとして記録されているプリレコーデッド情報の読出を実行させる。
その場合、まずＰＢゾーンを目的としてシーク動作制御を行う。即ちサーボ回路１１に指令を出し、ディスク最内周側へのピックアップ１のアクセス動作を実行させる。
その後、ピックアップ１による再生トレースを実行させ、反射光情報としてのプッシュプル信号を得、ウォブル回路８、リーダ／ライタ回路５、ＥＣＣエンコーダ／デコーダ７によるデコード処理を実行させ、プリレコーデッド情報としての再生データを得る。
システムコントローラ１０はこのようにして読み出されたプリレコーデッド情報に基づいて、レーザパワー設定やコピープロテクト処理等を行う。
【００９９】
なお、ＰＢゾーンのプリレコーデッド情報の再生時には、システムコントローラ１０は、読み出されたプリレコーデッド情報としてのＢＩＳクラスタに含まれるアドレス情報を用いて、アクセスや再生動作の制御を行う。
【０１００】
ところで、この図２２の例は、ＡＶシステム２０に接続されるディスクドライブ装置３０としたが、本発明のディスクドライブ装置としては例えばパーソナルコンピュータ等と接続されるものとしてもよい。
さらには他の機器に接続されない形態もあり得る。その場合は、操作部や表示部が設けられたり、データ入出力のインターフェース部位の構成が、図２２とは異なるものとなる。つまり、ユーザーの操作に応じて記録や再生が行われるとともに、各種データの入出力のための端子部が形成されればよい。
もちろん構成例としては他にも多様に考えられ、例えば記録専用装置、再生専用装置としての例も考えられる。
【０１０１】
ウォブル回路８におけるＡＤＩＰ情報としてのプッシュプル信号にかかるＭＳＫ復調方式を図２３，図２４で説明する。
ＭＳＫ復調のための構成としてウォブル回路８には図２３に示すように、バンドパスフィルタ５１，５２、乗算器５３、ローパスフィルタ５４、スライサ５５が設けられる。
【０１０２】
上述したように、例えば図２４（ａ）のようなＡＤＩＰ情報としてのアドレスデータは、図２４（ｂ）のように差動符号化されたプリコードデータとされ、図２４（ｃ）のようにＭＳＫ変調される。そしてこのＭＳＫ変調信号に基づいてディスク上でグルーブがウォブリングされたものとなっている。
従ってディスク１００のＲＷゾーンの記録再生時には、プッシュプル信号として得られる情報は、図２４（ｃ）のＭＳＫ変調波形に対応した信号となる。
【０１０３】
図２２のマトリクス回路９からウォブリングに係る信号として供給されるプッシュプル信号Ｐ／Ｐは、図２３のバンドパスフィルタ５１，５２のそれぞれに供給される。
バンドパスフィルタ５１は、キャリア周波数及びキャリア周波数の１．５倍の周波数に相当する帯域を通過させる特性とされ、このバンドパスフィルタ５１によってウォブル成分、即ち図２４（ｃ）のＭＳＫ変調波が抽出される。
またバンドパスフィルタ５２は、キャリア周波数成分のみを通過させるより狭帯域の特性とされ、図２４（ｄ）のキャリア成分が抽出される。
【０１０４】
乗算器５３は、バンドパスフィルタ５１，５２の出力を乗算する。つまり、ＭＳＫ変調されたウォブル信号と、キャリアを乗算することにより、同期検波することができ、図２４（ｅ）の復調信号demod outが得られる。
この復調信号demod outを次のＬＰＦ５４を通過させることにより、図２４（ｆ）のLPF out信号が得られる。
ＬＰＦ５４は例えば２７タップのＦＩＲフィルタとされ、係数は以下のとおりである。
【０１０５】
-0.000640711
-0.000865006
0.001989255
0.009348803
0.020221675
0.03125
0.040826474
0.050034929
0.05852149
0.065960023
0.072064669
0.076600831
0.079394185
0.080337385  ;Center
0.079394185
0.076600831
0.072064669
0.065960023
0.05852149
0.050034929
0.040826474
0.03125
0.020221675
0.009348803
0.001989255
-0.000865006
-0.000640711
【０１０６】
このようなＬＰＦ５４から得られたLPF out信号をコンパレータとして形成されるスライサ５５で２値化することで、図２４（ｇ）の復調データ（demod data）が得られる。
この２値化された出力である復調データ（demod data）はアドレス情報を形成するチャンネルビットデータとなり、図２２に示したアドレスデコーダ９に供給されて、ＡＤＩＰアドレスがデコードされるものとなる。
【０１０７】
３．ディスク製造方法
続いて、上述した本例のディスクの製造方法を説明する。
ディスクの製造プロセスは、大別すると、いわゆる原盤工程（マスタリングプロセス）と、ディスク化工程（レプリケーションプロセス）に分けられる。原盤工程はディスク化工程で用いる金属原盤（スタンパー）を完成するまでのプロセスであり、ディスク化工程はスタンパーを用いて、その複製である光ディスクを大量生産するプロセスである。
【０１０８】
具体的には、原盤工程は、研磨した硝子基板にフォトレジストを塗布し、この感光膜にレーザビームによる露光によってピットやグルーブを形成する、いわゆるカッティングを行なう。
本例の場合、ディスクの最内周側のＰＢゾーンに相当する部分でプリレコーデッド情報に基づいたウォブリングによるグルーブのカッティングが行われ、またＲＷゾーンに相当する部分で、ＡＤＩＰアドレスに基づいたウォブリングによるグルーブのカッティングが行われる。
【０１０９】
記録するプリレコーデッド情報はプリマスタリングと呼ばれる準備工程で用意される。
そしてカッティングが終了すると、現像等の所定の処理を行なった後、例えば電鋳によって金属表面上への情報の転送を行ない、ディスクの複製を行なう際に必要なスタンパーを作成する。
次に、このスタンパーを用いて例えばインジェクション法等によって、樹脂基板上に情報を転写し、その上に反射膜を生成した後、必要なディスク形態に加工する等の処理を行なって、最終製品を完成する。
【０１１０】
カッティング装置は、例えば図２５に示すように、プリレコーデッド情報発生部７１，アドレス発生部７２、切換部７３、カッティング部７４、コントローラ７０を備える。
プリレコーデッド情報発生部７１は、プリマスタリング工程で用意されたプリレコーデッド情報を出力する。
アドレス発生部７２は、絶対アドレスとしての値を順次出力する。
【０１１１】
カッティング部７４は、フォトレジストされた硝子基板１０１にレーザービームを照射してカッティングを行なう光学部（８２，８３，８４）と、硝子基板１０１を回転駆動及びスライド移送する基板回転／移送部８５と、入力データを記録データに変換して光学部に供給する信号処理部８１と、基板回転／移送部８５の位置から、カッティング位置がＰＢゾーンとＲＷゾーンのいずれであるかを判別できるようにしたセンサ８６を有する。
【０１１２】
上記光学部としては、例えばＨｅ−Ｃｄレーザからなるレーザ光源８２と、このレーザ光源８２からの出射光を記録データに基づいて変調する変調部８３と、変調部８３からの変調ビームを集光して硝子基板１０１のフォトレジスト面に照射するカッティングヘッド部８４が設けられている。
変調部８３としてはレーザ光源８２からの出射光をオン／オフする音響光学型の光変調器（ＡＯＭ）と、さらにレーザ光源８２からの出射光をウォブル生成信号に基づいて偏向する音響光学型の光偏向器（ＡＯＤ）が設けられる。
【０１１３】
また、基板回転／移送部８５は、硝子基板１０１を回転駆動する回転モータと、回転モータの回転速度を検出する検出部（ＦＧ）と、硝子基板１０１をその半径方向にスライドさせるためのスライドモータと、回転モータ、スライドモータの回転速度や、カッティングヘッド部８４のトラッキング等を制御するサーボコントローラなどを有して構成される。
【０１１４】
信号処理部８１は、例えば切換部７３を介して供給されるプリレコーデッド情報やアドレス情報に対して、例えばエラー訂正符号等を付加して入力データを形成するフォーマティング処理や、フォーマティング処理データに所定の演算処理を施して変調信号を形成する変調信号生成処理を行う。
そして変調信号に基づいて変調部８３の光変調器及び光偏向器を駆動する駆動処理も行う。
【０１１５】
カッティング部７４では、カッティングの際、基板回転／移送部８５が硝子基板１０１を一定線速度で回転駆動するとともに、硝子基板７１を回転させたまま、所定のトラックピッチでらせん状のトラックが形成されていくようにスライドさせる。
同時に、レーザ光源８２からの出射光は変調部８３を介して、信号処理部８１からの変調信号に基づく変調ビームとされてカッティングヘッド部８４から硝子基板７１のフォトレジスト面に照射されていき、その結果、フォトレジストがデータやグルーブに基づいて感光される。
【０１１６】
コントローラ７０は、このようなカッティング部７４のカッティング時の動作を実行制御するとともに、センサ８６からの信号を監視しながらプリレコーデッド情報発生部７１、アドレス発生部７２、切換部７３を制御する。
コントローラ７０は、カッティング開始時には、カッティング部７４に対してカッティングヘッド部８４が最内周側からレーザ照射を開始するように、基板回転／移送部８５のスライド位置を初期位置とさせる。そして硝子基板１０１のＣＬＶ回転駆動と、トラックピッチ０．３５μｍのグルーブを形成するためのスライド移送を開始させる。
この状態で、プリレコーデッド情報発生部７１からプリレコーデッド情報を出力させ、切換部７３を介して信号処理部８１に供給させる。また、レーザ光源８２からのレーザ出力を開始させ、変調部８３は信号処理部８１からの変調信号、即ちプリレコーデッド情報のＦＭコード変調信号に基づいてレーザ光を変調させ、硝子基板１０１へのグルーブカッティングを実行させる。
これにより、ＰＢゾーンに相当する領域に、上述した図３（ｂ）のようなグルーブのカッティングが行われていく。
【０１１７】
その後、コントローラ７０はセンサ８６の信号から、カッティング動作がＰＢゾーンに相当する位置まで進んだことを検出したら、切換部７３をアドレス発生部７２側に切り換えると共に、アドレス発生部７２からアドレス値を順次発生させるように指示する。
また基板回転／移送部８５には、トラックピッチ０．３２μｍのグルーブを形成するようにスライド移送速度を低下させる。
【０１１８】
これによりアドレス発生部７２からアドレス情報が切換部７３を介して信号処理部８１に供給される。そして、レーザ光源８２からのレーザ光は変調部８３において信号処理部８１からの変調信号、即ちアドレス情報のＭＳＫ変調信号に基づいて変調され、その変調レーザ光により硝子基板１０１へのグルーブカッティングが実行される。
これにより、ＲＷゾーンに相当する領域に、上述した図３（ａ）のようなグルーブのカッティングが行われていく。
コントローラ７０はセンサ８６の信号から、当該カッティング動作がリードアウトゾーンの終端に達したことを検出したら、カッティング動作を終了させる。
【０１１９】
このような動作により、硝子基板１０１上にＰＢゾーン及びＲＷゾーンとしてのウォブリンググルーブに対応する露光部が形成されていく。
その後、現像、電鋳等を行ないスタンパーが生成され、スタンパーを用いて上述のディスクが生産される。
【０１２０】
以上、実施の形態のディスク及びそれに対応するディスクドライブ装置、ディスク製造方法について説明してきたが、本発明はこれらの例に限定されるものではなく、要旨の範囲内で各種変形例が考えられるものである。
【符号の説明】
【０１２１】
１  ピックアップ、２  スピンドルモータ、３  スレッド機構、４  マトリクス回路、５  リーダ／ライタ回路、６  変復調回路、７  ＥＣＣエンコーダ／デコーダ、８  ウォブル回路、９  アドレスデコーダ、１０  システムコントローラ、１１  サーボ回路、１２  スピンドルサーボ回路、１３  レーザドライバ、２０  ＡＶシステム、５１，５２  バンドパスフィルタ、５３  乗算器、５４  ローパスフィルタ、５５  スライサ、７０  コントローラ、７１  プリレコーデッド情報発生部、７２  アドレス発生部、７３  切換部、７４  カッティング部、１００  ディスク
【図１】
0005267724.tif 000002
【図２】
0005267724.tif 000003
【図３】
0005267724.tif 000004
【図４】
0005267724.tif 000005
【図５】
0005267724.tif 000006
【図６】
0005267724.tif 000007
【図７】
0005267724.tif 000008
【図８】
0005267724.tif 000009
【図９】
0005267724.tif 000010
【図１０】
0005267724.tif 000011
【図１１】
0005267724.tif 000012
【図１２】
0005267724.tif 000013
【図１３】
0005267724.tif 000014
【図１４】
0005267724.tif 000015
【図１５】
0005267724.tif 000016
【図１６】
0005267724.tif 000017
【図１７】
0005267724.tif 000018
【図１８】
0005267724.tif 000019
【図１９】
0005267724.tif 000020
【図２０】
0005267724.tif 000021
【図２１】
0005267724.tif 000022
【図２２】
0005267724.tif 000023
【図２３】
0005267724.tif 000024
【図２４】
0005267724.tif 000025
【図２５】
0005267724.tif 000026